(57)【要約】【課題】従来の如き補強材を不要として車両重量の低減化とコスト削減を実現し得るフルトラクタ用エンドクロスの締結部構造を提供する。【解決手段】フルトラクタ１のエンドクロス３の両端部に形成されたサイドレール６のウェブ６ｂに沿う結合代７を介して前記エンドクロス３を前記サイドレール６のウェブ６ｂに対し締結したフルトラクタ用エンドクロスの締結部構造に関し、前記エンドクロス３の結合代７における車両前方側の先端部（張出部１０）を該結合代７の残部よりも締結箇所を取り囲む面積が小さくなるような形状とする。【選択図】図１
2018039307.tif 000002
【特許請求の範囲】
【請求項１】
フルトラクタのエンドクロスの両端部に形成されたサイドレールのウェブに沿う結合代を介して前記エンドクロスを前記サイドレールのウェブに対し締結したフルトラクタ用エンドクロスの締結部構造であって、前記エンドクロスの結合代における車両前方側の先端部を該結合代の残部よりも締結箇所を取り囲む面積が小さくなるような形状としたことを特徴とするフルトラクタ用エンドクロスの締結部構造。
【請求項２】
結合代の車両前方側の先端部が車両前方へ向け舌状に張り出す張出部として形成され且つ該張出部に最前の締結箇所が設定されていることを特徴とする請求項１に記載のフルトラクタ用エンドクロスの締結部構造。
【発明の詳細な説明】
【技術分野】
【０００１】
本発明は、フルトラクタ用エンドクロスの締結部構造に関するものである。
【背景技術】
【０００２】
図４に示す如く、フルトラクタ１（荷台付きの牽引車）に対しフルトレーラ２（完全被牽引車）を連結する場合には、フルトラクタ１のエンドクロス３に装備したピントルフック４にフルトレーラ２側のルネットアイ５を掛止させて連結を行うようにしているが、フルトラクタ１のエンドクロス３には、フルトレーラ２の牽引時に車両後方へ向かう荷重が入力されるため、フルトラクタ１のサイドレール６とエンドクロス３との結合部に集中する応力への対策が必要となる。
【０００３】
図５はフルトラクタ１のサイドレール６に対するエンドクロス３の従来構造の一例を示すもので、ここに図示している例では、エンドクロス３が一枚の鋼材を曲げ加工して製作されており、左右のサイドレール６間を亘る横梁部分が車両前方へ開口した溝形を成し、その長手方向の両端部にて前記溝形の上下のフランジ３ａが前記サイドレール６のウェブ６ｂに沿うように互いに向き合う方向に曲折されて結合代７を成し、該結合代７と前記サイドレール６のウェブ６ｂとがボルト・ナット８を介し締結されて結合されている。尚、図５中における符号の３ｂは前記エンドクロス３の上下のフランジ３ａ間を繋ぐウェブ、６ａはサイドレール６の上下のフランジを夫々示している。
【０００４】
また、このようなサイドレールのウェブに対しクロスメンバの両端部を結合した構造については、下記の特許文献１等が先行技術文献情報として既に存在している。
【先行技術文献】
【特許文献】
【０００５】
【特許文献１】特開平１１−７８９６２号公報
【発明の概要】
【発明が解決しようとする課題】
【０００６】
しかしながら、斯かる従来構造にあっては、エンドクロス３の車幅方向中央部分がピントルフック４を介して車両後方へ引かれることにより、前記エンドクロス３を平面視でＶ字状に曲げるように力が加わり、該エンドクロス３の両端部の結合代７における車両前方側に締結箇所を車幅方向内側へ引き込むような面外応力が集中し、前記サイドレール６のウェブ６ｂへの入力が局所的に強く作用する懸念があり、この部分でウェブ６ｂが損傷しないよう補強材９により断面係数を上げて大幅な強度向上を施していたため、この補強材９の分だけ車両重量の増加やコストの高騰を招いてしまっていた。
【０００７】
本発明は上述の実情に鑑みてなしたもので、従来の如き補強材を不要として車両重量の低減化とコスト削減を実現し得るフルトラクタ用エンドクロスの締結部構造を提供することを目的とする。
【課題を解決するための手段】
【０００８】
本発明は、フルトラクタのエンドクロスの両端部に形成されたサイドレールのウェブに沿う結合代を介して前記エンドクロスを前記サイドレールのウェブに対し締結したフルトラクタ用エンドクロスの締結部構造であって、前記エンドクロスの結合代における車両前方側の先端部を該結合代の残部よりも締結箇所を取り囲む面積が小さくなるような形状としたことを特徴とするものである。
【０００９】
而して、このようにすれば、エンドクロスの結合代における車両前方側の先端部の剛性が残部よりも低下し、フルトレーラの牽引によりピントルフックに車両後方へ向かう荷重が入力された際に前記結合代の車両前方側の先端部が相対的に撓み易くなり、これまで前記結合代における車両前方側の先端部に集中していた車幅方向内側へ向かう面外応力が残部にも分散されてサイドレールのウェブが面外方向に向ける入力が均される結果、従来の如き補強材を用いた補強を施さなくてもサイドレールの損傷を未然に回避することが可能となる。
【００１０】
また、本発明をより具体的に実施するにあたっては、例えば、結合代の車両前方側の先端部が車両前方へ向け舌状に張り出す張出部として形成され且つ該張出部に最前の締結箇所が設定されていることが好ましく、このようにすれば、エンドクロスの結合代における車両前方側の先端部を該結合代の残部よりも締結箇所を取り囲む面積が小さくなるような形状とすることが容易に実現される。
【発明の効果】
【００１１】
上記した本発明のフルトラクタ用エンドクロスの締結部構造によれば、下記の如き種々の優れた効果を奏し得る。
【００１２】
（Ｉ）本発明の請求項１に記載の発明によれば、エンドクロスの結合代における車両前方側の先端部に集中していた車幅方向内側へ向かう面外応力を残部にも分散してサイドレールのウェブが面外方向に受ける入力を均すことができ、これによりサイドレールのウェブに対し局所的に強く作用していた入力を緩和してサイドレールの損傷を未然に回避することができるので、フルトラクタのサイドレールとエンドクロスとの結合部に補強のために施していた補強材を不要として車両重量の低減化とコスト削減を実現することができる。
【００１３】
（ＩＩ）本発明の請求項２に記載の発明によれば、エンドクロスの結合代における車両前方側の先端部を該結合代の残部よりも締結箇所を取り囲む面積が小さくなるような形状とすることが容易に実現でき、既存のエンドクロスに大幅な改良を施すことなく実施することができる。
【図面の簡単な説明】
【００１４】
【図１】本発明を実施する形態の一例を示す斜視図である。
【図２】図１の構造を車両左側から見た側面図である。
【図３】図１の構造を上方から見た平面図である。
【図４】一般的なフルトレーラ方式の運搬形態を説明する概略図である。
【図５】従来例を示す斜視図である。
【発明を実施するための形態】
【００１５】
以下、本発明の実施の形態を図面を参照しつつ説明する。
【００１６】
図１〜図３は本発明を実施する形態の一例を示すもので、本形態例においては、前述した図５の従来例の場合と略同様に、フルトラクタ１のエンドクロス３の両端部に形成されたサイドレール６のウェブ６ｂに沿う結合代７を介して前記エンドクロス３を前記サイドレール６のウェブ６ｂに対し締結するようになっており、より具体的には、前記エンドクロス３の左右のサイドレール６間を亘る横梁部分が車両前方へ開口した溝形を成していると共に、その長手方向の両端部にて前記溝形の上下のフランジ３ａが前記サイドレール６のウェブ６ｂに沿うように互いに向き合う方向に曲折されて結合代７を成しており、該結合代７と前記サイドレール６のウェブ６ｂとがボルト・ナット８を介し締結されて結合されるようにしてあるが、前記エンドクロス３の結合代７における車両前方側の先端部を該結合代７の残部よりも締結箇所を取り囲む面積が小さくなるような形状としたところが特徴となっている。
【００１７】
即ち、ここに図示している例の場合は、エンドクロス３の結合代７における車両前方側の先端部を該結合代７の残部よりも締結箇所を取り囲む面積が小さくなるような形状とするにあたり、結合代７の車両前方側の先端部が車両前方へ向け舌状に張り出す張出部１０として形成され且つ該張出部１０に最前のボルト・ナット８による締結箇所が設定されるようにしてある。
【００１８】
而して、このようにすれば、エンドクロス３の結合代７における車両前方側の先端部の剛性が残部よりも低下し、フルトレーラの牽引によりピントルフックに車両後方へ向かう荷重が入力された際に前記結合代７の車両前方側の先端部が相対的に撓み易くなり、これまで前記結合代７における車両前方側の先端部に集中していた車幅方向内側へ向かう面外応力が残部にも分散されてサイドレール６のウェブ６ｂが面外方向に向ける入力が均される結果、従来の如き補強材を用いた補強を施さなくてもサイドレール６の損傷を未然に回避することが可能となる。
【００１９】
従って、上記形態例によれば、エンドクロス３の結合代７における車両前方側の先端部に集中していた車幅方向内側へ向かう面外応力を残部にも分散してサイドレール６のウェブ６ｂが面外方向に受ける入力を均すことができ、これによりサイドレール６のウェブ６ｂに対し局所的に強く作用していた入力を緩和してサイドレール６の損傷を未然に回避することができるので、フルトラクタ１のサイドレール６とエンドクロス３との結合部に補強のために施していた補強材を不要として車両重量の低減化とコスト削減を実現することができる。
【００２０】
また、結合代７の車両前方側の先端部が車両前方へ向け舌状に張り出す張出部１０として形成され且つ該張出部１０に最前の締結箇所が設定された構成を採用し、斯かる構成によりエンドクロス３の結合代７における車両前方側の先端部を該結合代７の残部よりも締結箇所を取り囲む面積が小さくなるような形状とすることが容易に実現でき、既存のエンドクロス３に大幅な改良を施すことなく実施することができる。
【００２１】
尚、本発明のフルトラクタ用エンドクロスの締結部構造は、上述の形態例にのみ限定されるものではなく、本発明の要旨を逸脱しない範囲内において種々変更を加え得ることは勿論である。
【符号の説明】
【００２２】
１      フルトラクタ
２      フルトレーラ
３      エンドクロス
６      サイドレール
６ｂ    ウェブ
７      結合代
１０    張出部
【図１】
2018039307.tif 000003
【図２】
2018039307.tif 000004
【図３】
2018039307.tif 000005
【図４】
2018039307.tif 000006
【図５】
2018039307.tif 000007